(57)【要約】      （修正有）【課題】歯肉のマッサージを行え、歯を清潔にすることができる歯肉マッサージ器を提供する。【解決手段】歯肉マッサージ器のマッサージ器１は上、各弧状片１１、１２からなり、各弧状片１１、１２は末端が相互に連接し、やや「く」の字に似た構造体を形成し、各弧状片１１、１２は歯肉を覆うことができる各湾曲マッサージ片１３、１４をそれぞれ設置し、使用者はマッサージ器１を口腔中に含み、各湾曲マッサージ片１３、１４と歯肉とを接触させ、マッサージを行う。【選択図】図１
0003175596.tif 000002
【実用新案登録請求の範囲】
【請求項１】
歯肉マッサージ器のマッサージ器は、上、下弧状片からなり、
前記各弧状片は、末端が相互に連接し、やや「く」の字に似た構造体を形成し、
前記各弧状片には、歯肉を覆うことができる上、下湾曲マッサージ片をそれぞれ設置することを特徴とする歯肉マッサージ器。
【請求項２】
前記各湾曲マッサージ片内縁には、複数のマッサージ凸粒を設置し、しかも前記湾曲マッサージ片と前記弧状片との交接位置には、複数のブラシを設置し、
或いは、前記湾曲マッサージ片と前記弧状片との交接位置には、複数の軟性尖凸体を設置し、前記各尖凸体の高度は、前記マッサージ凸粒より高いことを特徴とする請求項１に記載の歯肉マッサージ器。
【請求項３】
前記上弧状片には、下向きに少なくとも１個の尖凸部を形成し、
或いは、前記下弧状片には、上向きに少なくとも１個の尖凸部を形成することを特徴とする請求項１に記載の歯肉マッサージ器。
【請求項４】
前記上弧状片下方には、後方へと、舌苔ブラシを設置し、
前記舌苔ブラシ下方には、複数のブラシを設置することを特徴とする請求項１に記載の歯肉マッサージ器。
【請求項５】
前記各湾曲マッサージ片にはさらに、振動装置を連接し、
前記振動装置は、超音波振動部品、或いは振動モーターであることを特徴とする請求項１に記載の歯肉マッサージ器。
【請求項６】
前記各湾曲マッサージ片にはさらに、固定部を設置し、前記上、下弧状片とそれぞれ固定し、
前記上湾曲マッサージ片の固定部は、前記下弧状片に固定し、
前記下湾曲マッサージ片の固定部は、前記上弧状片に固定し、
前記湾曲マッサージ片には、開口を設置することを特徴とする請求項１〜５の任意の一項に記載の歯肉マッサージ器。
【請求項７】
前記各湾曲マッサージ片にはさらに、複数の係合部を設置し、前記上、下弧状片とそれぞれ固定し、
前記上湾曲マッサージ片の係合部は、前記上弧状片に固定し、
前記下湾曲マッサージ片の係合部は、前記下弧状片に固定することを特徴とする請求項１〜５の任意の一項に記載の歯肉マッサージ器。
【考案の詳細な説明】
【技術分野】
【０００１】
本考案は歯肉マッサージ器に関し、特に歯肉のマッサージを行え、歯を清潔にすることができる歯肉マッサージ器に関する。
【背景技術】
【０００２】
歯の健康保持は、現代人にとって無視できない健康に関する常識である。
そのためには、毎日歯ミガキを行う他、毎食後直ちに口腔を清潔にし、口腔内を随時清潔に保つことが必要である。
よって、携帯用の補助用品を持ち歩き、隨時かつ徹底的に歯を清潔にし、舌苔を取り除き、口腔を最良の状態に保持する必要がある。
【０００３】
口腔疾患の中では虫歯が最多であるが、歯周病も成人ではしばしば見られる口腔疾患である。
歯周病は、歯肉の健康に悪影響を及ぼし、深刻な場合には歯肉の萎縮をも引き起こす。
一般に人は歯ミガキの大切さを強調するが、歯肉を清潔にし、歯肉の健康を保つことに注意を払う人は少ない。
【０００４】
歯科医は普段の歯ミガキ時に、歯肉を清潔にできたかどうかに注意し、歯肉をマッサージするよう薦めている。
通常家では、簡単な方法を利用し、歯肉を軽く押し、或いは特殊な機能の歯ブラシを用意し、歯肉をマッサージして刺激することで、歯肉をより健康にし、歯周病の発生を減らすことができる。
歯肉に軽微な炎症がある場合にも、歯肉の健康回復に益をもたらすことができる。
【０００５】
一般の歯肉マッサージは、歯ブラシにより逐一歯肉を押し、強水流により歯肉を洗浄し、或いは指で歯肉をマッサージする方法で達成される。
しかし、歯ブラシのブラシが硬すぎれば歯肉が出血し、強水流での洗浄では衣服を濡らす恐れがある。
さらに、不潔な指で歯肉マッサージを行えば、衛生面で不適切である。
本考案は、従来の歯肉マッサージ方法の上記した欠点に鑑みてなされたものである。
【考案の概要】
【考案が解決しようとする課題】
【０００６】
本考案が解決しようとする課題は、歯肉のマッサージを行え、歯を清潔にすることができる歯肉マッサージ器を提供することである。
【課題を解決するための手段】
【０００７】
上記課題を解決するため、本考案は下記の歯肉マッサージ器を提供する。
歯肉マッサージ器は、上、下弧状片からなり、
該各弧状片は、末端が相互に連接し、やや「く」の字に似た構造体を形成し、
該各弧状片は、歯肉を覆うことができる湾曲マッサージ片をそれぞれ設置し、
該湾曲マッサージ片内縁には、複数のマッサージ凸粒を設置し、
しかも、該湾曲マッサージ片と該弧状片との交接位置には、複数のブラシを設置し、
使用者は、該マッサージ器を、口腔中に含み、該各マッサージ凸粒を歯肉と接触させ、マッサージを行い、歯肉の血行を促進することができ、
同時に、ブラシにより歯を清潔にすることもできる。
【考案の効果】
【０００８】
本考案の歯肉マッサージ器は、歯肉のマッサージを行え、歯を清潔にすることもできる。
【図面の簡単な説明】
【０００９】
【図１】本考案歯肉マッサージ器第一実施例の構造立体図である。
【図２】本考案歯肉マッサージ器の構造模式図である。
【図３】本考案歯肉マッサージ器第二実施例の構造立体図である。
【図４】本考案歯肉マッサージ器第二実施例の構造分解図である。
【図５】本考案歯肉マッサージ器第三実施例の構造分解図である。
【図６】本考案歯肉マッサージ器第四実施例の構造分解図である。
【図７】本考案歯肉マッサージ器の作動模式図である。
【図８】本考案歯肉マッサージ器第四実施例の構造模式図である。
【図９】本考案歯肉マッサージ器第四実施例の使用模式図である。
【図１０】本考案歯肉マッサージ器第五実施例の構造立体図である。
【図１１】本考案歯肉マッサージ器第六実施例の構造模式図である。
【図１２】本考案歯肉マッサージ器第七実施例の構造立体図である。
【考案を実施するための形態】
【００１０】
以下に図面を参照しながら本考案を実施するための最良の形態について詳細に説明する。
【実施例】
【００１１】
本考案歯肉マッサージ器の構造立体図、及び構造模式図である図１、２に示すように、マッサージ器1は上、下弧状片11、12からなる。
各弧状片11、12は、末端が相互に連接し、やや「く」の字に似た構造体を形成する。
各弧状片11、12には、歯肉を覆うことができる上、下湾曲マッサージ片13、14をそれぞれ設置する。
各弧状片11、12は、各湾曲マッサージ片13、14と一体成型することができ、或いは分けて成型することができる。
【００１２】
図３、４に示す第二実施例では、各湾曲マッサージ片13、14にはさらに、固定部132、142を設置し、上、下弧状片11、12と固定する。
上湾曲マッサージ片13の固定部132は、下弧状片12に固定し、下湾曲マッサージ片14の固定部142は、上弧状片11に固定する。
しかも、下湾曲マッサージ片14には、開口143を設置し、これに上湾曲マッサージ片13を通すことができる。
当然、上湾曲マッサージ片13に、開口を設置し、これに下湾曲マッサージ片14を通すこともできる。
【００１３】
図５に示す第三実施例では、各湾曲マッサージ片13、14にはさらに、複数の係合部133、143を設置し、上、下弧状片11、12とそれぞれ固定する。
上湾曲マッサージ片13の係合部133は、上弧状片11に固定し、下湾曲マッサージ片14の係合部143は、下弧状片12に固定する。
【００１４】
図６に示す第四実施例では、上弧状片11と上湾曲マッサージ片13とは、一体成型し、下弧状片12と上湾曲マッサージ片14とは、一体成型する。
さらに、上弧状片11内周縁112と下弧状片12内周縁122とは、圧合して連結する。
【００１５】
各湾曲マッサージ片13、14は、エチレン酢酸ビニル共重合体(EVA)材質により成型する。
よって、使用時には、マッサージ器1を、約60℃の温水に浸すなど予定の軟化温度まで加熱し、それをやや軟化させてから口腔中に入れ、噛んだ後に常温状態まで戻せば、特定個人の歯型に定型させることができる。
これにより、使用時に、使用者は、マッサージ器1を口腔中に含むことができる。
【００１６】
図７に示すように、口を閉じている時には、各弧状片11、12の連接位置を支点Aとし、相対封鎖状の距離(D1)を向かい合わせに移動させ、上、下湾曲マッサージ片が歯肉に接触してマッサージする動作行程(D2)に対応し、すなわちD1＝D2である。
こうして、各湾曲マッサージ片13、14は、それぞれ上下歯肉に対してマッサージを行うことができ、材料自身の張力により、開放状態に戻る。
【００１７】
さらに、図８、９に示すように、材料自身の張力により弾力で戻り、各湾曲マッサージ片13、14は、それぞれ上下歯肉に対してマッサージを行うことができる。
しかも、各湾曲マッサージ片13、14内縁には、複数のマッサージ凸粒15を設置し、湾曲マッサージ片13、14と弧状片11、12との交接位置には、複数のブラシ16を設置することができる。
これによりさらに、各マッサージ凸粒15を利用し、歯肉と接触させ、マッサージを行い、歯肉の血行を促進することができる。
同時に、ブラシ16により、歯を清潔にすることができる。
【００１８】
或いは、湾曲マッサージ片と弧状片との交接位置には、複数の軟性尖凸体を設置することができ、各尖凸体の高度は、マッサージ凸粒より高いため、清潔にする作用を達成することができる。
【００１９】
上、下湾曲マッサージ片13、14は、図１０に示す第五実施例のように、複数の棒状体131、141を備える形状とすることができる。
しかも、各上、下棒状体131、141は、相互に交差して配列する。
さらに、上弧状片11は、下向きに、少なくとも１個の尖凸部111を形成し、或いは下弧状片12は上向きに少なくとも１個の尖凸部121を形成する。
【００２０】
図１１に示す第六実施例では、使用者はうがい水バッグ2を口に含み、上下に噛み合わせを行った後、尖凸部111、121を利用し、うがい水バッグ2を破る。
これにより、内部に包装されるうがい用水を流出させ、口腔を清潔にすることができる。
【００２１】
図１２に示す第七実施例では、上弧状片11下方には、後方へと、舌苔ブラシ17を設置する。
舌苔ブラシ17下方にはさらに、複数のブラシ171を設置し、舌苔を除去し、口腔内をさわやかに保つことができる。
【００２２】
さらに、各湾曲マッサージ片には、振動装置(図示なし)を連接することができる。
振動装置は、超音波振動部品、或いは振動モーターで、振動装置を利用し振動を生じ、それを湾曲マッサージ片に伝える。
これにより、マッサージ凸粒は振動方式により歯肉を押し、歯肉の血行を促進することができる。
【００２３】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２４】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２５】
Ａ      支点
１      マッサージ器
１１    上弧状片
１１１  尖凸部
１１２  内周縁
１２    下弧状片
１２１  尖凸部
１２２  内周縁
１３    上湾曲マッサージ片
１３１  棒状体
１３２  固定部
１３３  係合部
１４    下湾曲マッサージ片
１４１  棒状体
１４２  固定部
１４３  係合部
１４３  開口
１５    マッサージ凸粒
１６    ブラシ
１７    舌苔ブラシ
１７１  ブラシ
２      うがい水バッグ
【図１】
0003175596.tif 000003
【図２】
0003175596.tif 000004
【図３】
0003175596.tif 000005
【図４】
0003175596.tif 000006
【図５】
0003175596.tif 000007
【図６】
0003175596.tif 000008
【図７】
0003175596.tif 000009
【図８】
0003175596.tif 000010
【図９】
0003175596.tif 000011
【図１０】
0003175596.tif 000012
【図１１】
0003175596.tif 000013
【図１２】
0003175596.tif 000014